(57)【要約】【課題】  使用中に画像を形成する光空間変調素子など、ゴミを嫌う光学系ないしは光学系を構成する被冷却体の表面にゴミが付着せず、また塵埃除去手段の目詰まりによる装置内部の温度上昇の発生がない光学機器の通風冷却装置およびそれを用いた投写型表示装置を提供する。【解決手段】  吸気口６１から取り入れられた空気を光学系を構成する被冷却体２５〜２７に導く通風路６２と、この通風路の中に設けられ上記吸気口から取り入れられた空気に含まれる塵埃を遠心力により空気と分離する塵埃分離部６３と、この塵埃分離部で分離された塵埃を収容する塵埃集積容器６４と、上記通風路に設けられ上記吸気口から空気を導入して上記被冷却体に送風することにより上記塵埃分離部で空気を旋回させる送風装置６５とを備えるようにした。【選択図】  図１
2005173416.tif 000002
【特許請求の範囲】
【請求項１】
吸気口から取り入れた空気を光学系を構成する被冷却体に導く通風路と、この通風路の上記吸気口と被冷却体の間に介装され上記吸気口から取り入れられた空気に含まれる塵埃を遠心力により空気と分離する塵埃分離部と、この塵埃分離部で分離された塵埃を収容する塵埃集積容器と、上記通風路に設けられ上記吸気口から空気を導入して上記被冷却体に送風することにより上記塵埃分離部で空気を旋回させる送風装置とを備えたことを特徴とする光学機器の通風冷却装置。
【請求項２】
上記塵埃分離部から上記被冷却体に至る通風路に空気ろ過媒体を設け、上記送風装置をこの空気ろ過媒体の後段に配設してなることを特徴とする請求項１に記載の光学機器の通風冷却装置。
【請求項３】
上記塵埃分離部は、空気を通流させる側の面に吸音材が設けられてなることを特徴とする請求項１または請求項２に記載の光学機器の通風冷却装置。
【請求項４】
上記塵埃分離部は、一端部側外周部から接線方向に空気が導入されるように形成された流入部を有する円筒状体と、この円筒状体の他端部側に設けられ上記一端部から他端部の方向に向けて断面積が小となるように形成されたロート状体と、一端部が上記円筒状体の一端部側から該円筒状体の中心部に進入し他端部が上記送風装置の負圧側に連通するように設けられた排出筒とからなり、上記ロート状体の小断面積部に上記塵埃集積容器を設けてなることを特徴とする請求項１ないし請求項３の何れかに記載の光学機器の通風冷却装置。
【請求項５】
上記ロート状体の小断面積部と上記塵埃集積容器との間に直径ａ、長さｂである円筒首部を設け、上記塵埃集積容器の内容積をＶとしたときに、概ね次式１の関係を満たすようにされてなることを特徴とする請求項４に記載の光学機器の通風冷却装置。
【数１】
2005173416.tif 000004
【請求項６】
光学系を収容する筐体に、上記請求項１ないし請求項５の何れかに記載の通風冷却装置を収容し、この通風冷却装置を上記光学系の冷却に用いるようにしてなることを特徴とする投写型表示装置。
【請求項７】
上記筐体の側面部に上記塵埃集積容器を挿脱するための取り出し口を設けてなることを特徴とする請求項６に記載の投写型表示装置。
【発明の詳細な説明】
【技術分野】
【０００１】
この発明は、例えば液晶プロジェクタや背面投射型映像表示装置などの光学機器における発熱部等の被冷却体を強制空冷する場合などに好ましく用いることができる光学機器の通風冷却装置、およびこの通風冷却装置を用いた投写型表示装置に関するものである。
【背景技術】
【０００２】
従来の光学機器あるいは投写型表示装置の通風冷却装置は、例えば特開２０００−１１１８６１号公報（特許文献１）の第３頁、第１コラム、第６行〜第１７行（公報中の図１）に示されるように、液晶プロジェクタ（投写型表示装置）の内部の冷却に用いる冷却風中の塵埃を取り除くため、冷却ファンの吸込側に、海綿状合成ゴムなどのエアフィルタ（塵埃除去手段）が用いられ、細かな塵埃の侵入を防止するためにエアフィルタの空気の通流孔の空気との界面に塵埃等を吸着する粘着膜を形成する構造などが用いられている。また、粗い塵埃と細かな塵埃に対応するためにエアフィルタを通常のエアフィルタと、板簾状エアフィルタの多層構造としたものなどが提案されている。
【０００３】
【特許文献１】特開２０００−１１１８６１号公報（第３頁、図１）
【発明の開示】
【発明が解決しようとする課題】
【０００４】
従来の投写型表示装置は、通風冷却装置の塵埃除去手段として海綿状合成ゴム（連続気泡の発泡体）などのエアフィルタを用いているので、多層構造とした場合でもエアフィルタが結局は目詰まりしてしまい、装置内部の冷却風量が徐々に減少し、内部が高温になり構成部品の劣化が発生するという問題があった。また、目詰まりの発生を抑制するためにエアフィルタの目を荒くすると集塵効率が悪くなり、画像を形成する光空間変調素子などの被冷却体の表面にゴミが付着しやすくなるという問題点があった。また、エアフィルタの直後に冷却ファンが設置されており、ファン騒音が装置外に漏れ出るという問題もあった。
【０００５】
この発明は、上記のような従来技術の課題を解消するためになされたものであり、画像を形成する光空間変調素子など、強制冷却が必要な光学系ないしは光学系を構成する被冷却体の表面にゴミが付着せず、また目詰まりによる装置内部の温度上昇の恐れがない光学機器の通風冷却装置およびそれを用いた投写型表示装置を提供することを目的とするものである。
【課題を解決するための手段】
【０００６】
この発明に係る光学機器の通風冷却装置においては、吸気口から取り入れた空気を光学系を構成する被冷却体に導く通風路と、この通風路の上記吸気口と被冷却体の間に介装され上記吸気口から取り入れられた空気に含まれる塵埃を遠心力により空気と分離する塵埃分離部と、この塵埃分離部で分離された塵埃を収容する塵埃集積容器と、上記通風路に設けられ上記吸気口から空気を導入して上記被冷却体に送風することにより上記塵埃分離部で空気を旋回させる送風装置とを備えるようにしたものである。
【発明の効果】
【０００７】
この発明によれば、取り込まれた空気中の塵埃を遠心力により分離するようにしたので集塵効率が高く、光学系へのゴミの付着が軽減され、かつ海綿状合成ゴムなどからなる空気ろ過媒体を基本的に用いないので媒体の目詰まりがなく、被冷却体の温度上昇の恐れがない通風冷却装置を得ることができる。
【発明を実施するための最良の形態】
【０００８】
実施の形態１．
図１ないし図８は、この発明を実施するための実施の形態１による光学機器の通風冷却装置およびそれを用いた投写型表示装置を説明するための図である。図１は筐体５０の意匠天板５０ａを持ち上げて内部が見えるようにした状態を示している。意匠下部筐体５０ｂの内部には、電源回路５２、電源回路用冷却ファン５３、信号処理回路５４、ランプ収納容器５５、ランプ冷却ファン５６、照明光学系収納容器５７、この照明光学系収納容器５７の内部に収容された被冷却体である光空間変調素子２５乃至２７、および色合成プリズム２８、ならびに通風冷却装置６０などが収容され、意匠下部筐体５０ｂの正面部（図の左方向）には投写レンズ２９が突出して設けられている。
【０００９】
この発明による通風冷却装置６０は、この実施の形態１では意匠下部筐体５０ｂの側面部に設けられた吸気口６１、この吸気口６１と被冷却体である光空間変調素子２５乃至２７、および色合成プリズム２８などを収容する照明光学系収納容器５７とを連通する通風路であるダクト６２、このダクト６２の通風路内に介装された遠心分離式の塵埃分離部６３、分離された塵埃を集める塵埃集積容器６４、ならびにシロッコファンからなる送風装置６５などから構成されている。上記吸気口６１には、大型異物の吸込防止用に格子６１ａが設置されている。なお、各図を通じて同一符号は同一もしくは相当部分を示すものとする。
【００１０】
図２は、上記図１に示す意匠下部筐体５０ｂに収容された光学系部分の詳細を示す構成図である。この光学系は、ランプ１、凹面反射鏡２、前面ガラス３、第１のアレイレンズ４、第２のアレイレンズ５、偏光変換素子６、リレーレンズ７乃至１２、反射鏡１３乃至１６、誘電体多層膜ミラー１７乃至１８、被冷却体である偏光板１９乃至２４、同じく被冷却体である光空間変調素子２５乃至２７、色合成プリズム２８、および投写レンズ２９から構成されている。
【００１１】
図３は、説明の便宜のため図２に示した投写型表示装置のランプ１から光空間変調素子２６に至る光学系の光路を直線状に展開して示す構成図である。次に先ず上記のように構成された光学系の動作について説明する。ランプ１を発した光は、凹面反射鏡２で反射され略平行光束１００となる。光束１００は前面ガラス３を通過後、第１のアレイレンズ４を構成する要素レンズ４ａに入射する。要素レンズ４ａを出射した光束１０１は、徐々に集光しながら、第２のアレイレンズ５の対応する要素レンズ５ａに入射後、偏光変換素子６に入射する。なお、他の要素レンズ４ｂに入射した光束も同様に偏光変換素子６に入射する。
【００１２】
図４は上記偏光変換素子６近傍の構造を拡大して示す要部構成図である。偏光変換素子６は、断面がひし形の短冊状透明材料を多数接着により積層した板状光学素子である。各短冊の斜面には破線で示す偏光分離面４０と実線で示す全反射面４１が交互に設置されている。偏光変換素子６の光出射面側（図の上側）には、１／２波長板４２が設置されている。偏光変換素子６に入射した光束１１０は、偏光分離面４０により、Ｐ偏光（紙面に平行方向に電界ベクトルを有する光）１１０ＰとＳ偏光（紙面に垂直方向に電界ベクトルを有する光）１１０Ｓに分離される。Ｐ偏光１１０Ｐは偏光分離面４０を透過し、Ｓ偏光１１０Ｓは偏光分離面４０で反射される。反射されたＳ偏光１１０Ｓは全反射面４１により９０度伝播方向を曲げられ、１／２波長板４２を透過することにより偏光面が９０度回転されＰ偏光となる。
【００１３】
これら一連の動作によりランプ１からのランダム偏光光が単一の直線偏光光（この実施の形態ではＰ偏光光）の光束１１０Ｐに変換される。Ｐ偏光光に変換された光束１１０Ｐは、リレーレンズ７を通過後、光束１０２となる。光束１０２はリレーレンズ１１により略平行光束となり光空間変調素子２６を照明する。光空間変調素子２６を透過した光束は、図２に示す色合成プリズム２８を透過後、投写レンズ２９によりスクリーン（不図示）に映像が映し出される。
【００１４】
なお光束１０２は、リレーレンズ７を通過後、光空間変調素子２６に到る途中で、誘電体多層膜ミラー１７および１８により、それぞれ赤色帯域、青色帯域の成分が反射され、光空間変調素子２５および２７へとそれぞれ色の帯域別に分配される。従って、光空間変調素子２６に到る光束は緑色帯域の波長の光となる。ただし、これら３色の波長帯域の分配順序は任意であって、本実施の形態に限定されるものではない。
【００１５】
以上説明した光学系において、偏光板１９乃至２４、および光空間変調素子２５乃至２７は特に耐熱性が低く、強制空冷が必要である。そのために、ダクト６２、遠心分離式の塵埃分離部６３、送風装置６５などから構成されたこの発明による遠心分離式の通風冷却装置６０を備えている。図５は該通風冷却装置６０を詳しく説明するための斜視図である。また図６は図５に示す通風冷却装置６０を更に具体的に説明するための内部透視斜視図である。
【００１６】
上記通風冷却装置６０の塵埃分離部６３は、一端部側（図の上方側）外周部から接線方向に流入ダクト６２１から空気が導入されるように形成された流入部６３１ａを有する円筒状体６３１とこの円筒状体６３１の他端部側に設けられ上記一端部から他端部の方向、即ち図の下方向に向けて断面積が小となるように形成されたロート状体６３２と、一端部が上記円筒状体６３１の一端部側から略同軸に該円筒状体６３１の内部に突出して設けられ他端部が上記送風装置６５に接続される排出筒６３３からなっている。
【００１７】
図７は、被冷却体である偏光板と光空間変調素子部分の光学系を強制冷却する動作を説明するための垂直断面図である（光学系部分は図１のＶＩＩ−ＶＩＩ面における断面図に相当している）。シロッコファンなどからなる送風装置６５が運転を開始すると、塵埃分離部６３の内部が負圧となり、吸気口６１から塵埃を含んだ空気７０が流入ダクト６２１を通って該塵埃分離部６３に流入する。空気７０は塵埃分離部６３に流入した後、テーパー状になっているロート状体６３２の内壁に沿って、旋回流７１となり図の下方へと流れていく。
【００１８】
旋回流７１は塵埃分離部６３の終端部（図の下端部）近傍から、排出筒６３３の方へと吸引され上昇気流７２となる。その後送風装置６５により流れ方向が変えられ、気流７３となる。送風装置６５により送出された気流７３は、ダクト６２を通流し、偏光板２１乃至２２、光空間変調素子２６などの被冷却体の下部近傍へ導かれ、光空間変調素子２６の下部に設けられた冷却風導入口５７１から冷却風７４として照明光学系収納容器５７内に噴出し、図に表れていない全ての偏光板１９乃至２４、および光空間変調素子２５乃至２７の表面を冷却した後、排出される。
【００１９】
旋回流７１に含有されていた塵埃８０は重量が重く慣性が大きいため、塵埃分離部６３の終端近傍で旋回流７１から分離され塵埃集積容器６４に落下・集積される。なお塵埃集積容器６４は図８に示す通り、集積した塵埃８０を外部に廃棄、除去できるように塵埃分離部６３から着脱可能な構造となっている。なお、上記実施の形態１では光透過型の光空間変調素子を用いた投写型表示装置について説明したが、光反射型の光空間変調素子を用いた構成であってもよく、上記実施の形態１と同様の効果が期待できる。
【００２０】
上記のように、この実施の形態１によれば、海綿状合成ゴムなどからなる空気ろ過媒体を用いずに冷却風中の塵埃を分離・集積できるので集塵効率を高めることができ、被冷却体にゴミなどが付着するのを実質的になくすことできる。また、空気ろ過媒体を用いないので媒体の目詰まりは発生せず、被冷却体の温度上昇を防ぎ装置内部の温度を常に良好な状態に保つことができる。
【００２１】
実施の形態２．
図９および図１０は、この発明を実施するための実施の形態２による遠心分離式の塵埃除去手段を有する通風冷却装置およびそれを用いた投写型表示装置を説明するための図であり、図９は、通風冷却装置の外観を示す斜視図、図１０は図９の通風冷却装置を用いた投写型表示装置の内部配置を示す斜視図である。上記実施の形態１では通風冷却装置６０が垂直方向に設置された例を示したが、この実施の形態２では、図９および図１０に示すように水平方向に設置したものである。そのほかの構成、および動作は上記実施の形態１と同様であるので説明を省略する。
【００２２】
上記のように構成された実施の形態２による投写型表示装置では、上記実施の形態１と同様な効果が得られる他、通風冷却装置６０が水平方向に設置されていることにより、意匠下部筐体５０ｂの高さ寸法が小さい場合などでも好ましく用いられ、高さを小さくして小型化を図った投写型表示装置を提供できるなどの効果が得られる。
【００２３】
実施の形態３．
図１１ないし図１３は、この発明を実施するための実施の形態３による遠心分離式の通風冷却装置およびそれを用いた投写型表示装置を説明するための図であり、図１１は、遠心分離式の通風冷却装置を示す斜視図、図１２は図１１に示す通風冷却装置の塵埃分離・集積の動作を説明する断面構成図、図１３は図１１に示す通風冷却装置を用いた投写型表示装置の内部配置を示す斜視図である。この実施の形態３においては、通風冷却装置６０における排出筒６３３の流路内に空気ろ過媒体６６を備えており、さらにこの通風冷却装置６０を用いた投写型表示装置においては、図１３に示すように意匠下部筐体５０ｂの側面部に上記空気ろ過媒体６６の清掃、交換用の取り出し口６６１、および塵埃集積容器６４の清掃用の取り出し口６４１を備えている。その他の構成は上記実施の形態１と同様であるので説明を省略する。
【００２４】
次に上記のように構成された実施の形態３における塵埃分離・集積の動作を説明する。シロッコファンなどを用いた送風装置６５の運転を開始すると、塵埃分離部６３の内部が負圧となり、流入ダクト６２１の先端部に配設された吸気口６１から塵埃を含んだ空気７０が流入する。空気７０は塵埃分離部６３に流入した後、テーパー状になっているロート状体６３２の内壁に沿って、旋回流７１となり下方へと流れていく。旋回流７１はロート状体６３２の終端部近傍から、排出筒６３３の方へと吸引され上昇気流７２となる。その後送風装置６５により流れ方向が変えられ、気流７３となる。
【００２５】
旋回流７１に含有されていた重量が重く、サイズが大きい塵埃８０は慣性が大きいため、塵埃分離部６３の終端部近傍で旋回流７１から分離され塵埃集積容器６４に落下・集積する。一方、旋回流７１に含有されていた重量が軽く、微細な塵埃８１は慣性が小さく、上昇気流７２とともに、送風装置６５の方へと吸い上げられる。重量が軽い塵埃８１は、排出筒６３３の途中に設置された空気ろ過媒体６６により捕捉される。なお空気ろ過媒体６６としては、例えば海綿状合成ゴム（例えばウレタン製の連続気泡発泡体）、ＨＥＰＡフィルタ、ＵＬＰＡフィルタ、静電フィルタなどが好適であるが、必ずしもこれらのみに限定されるものではない。
【００２６】
上記のように構成された実施の形態３によれば、遠心分離式の塵埃除去手段６０に加え、空気ろ過媒体６６を塵埃分離部６３の下流側に設置したので、塵埃分離部６３のみでは分離・集積できなかった非常に微細な塵埃をも効率よく捕捉することができ、使用中に画像を形成する光空間変調素子などの光学系の表面にゴミが付着せず、常に良好な画像が投写できる。また、この実施の形態３に係る通風冷却装置６０は、空気ろ過媒体６６を用いたものではあるが、目詰まりの恐れがない遠心分離式の塵埃分離部６３により予め空気中に含まれるほとんどの塵埃が除去されているため、後段に配設された空気ろ過媒体６６の目詰まりがほとんど発生せず、あるいは目詰まりの進行が極めて緩慢であり装置内部の温度を常に良好な状態に保つことができる。さらに、意匠下部筐体５０ｂの側面部に空気ろ過媒体６６の清掃、交換用の取り出し口６６１、および塵埃集積容器６４の清掃用の取り出し口６４１を備えたことにより、メンテナンスが容易となる。
【００２７】
実施の形態４．
図１４は、この発明を実施するための実施の形態４による投写型表示装置に用いる通風冷却装置の要部を模式的に示す断面図である。図に示すように、この実施の形態４では、塵埃分離部６３を構成する円筒状体６３１、ロート状体６３２、および排出筒６３３、流入ダクト６２１、ならびに塵埃集積容器６４の内面、ならびに排出筒６３３の円筒状体６３１内部への進入部分外周面に吸音材９０が貼り付けられている。その他の構成は上記実施の形態１と同様であるので図示および説明を省略する。
【００２８】
上記のように構成された実施の形態４においては、上記実施の形態１の効果に加えて、図示を省略しているシロッコファンなどの送風装置６５から発生する騒音を吸音材９０により効果的に減衰することができ、装置の運転音を低騒音化できるという効果がある。この通風冷却装置６０を光学系の強制冷却手段として用いた投写型表示装置（図示省略）においては、動作音が静音化され、不快感が減少するなどの効果が得られる。
【００２９】
実施の形態５．
図１５は、この発明を実施するための実施の形態５による投写型表示装置に用いる通風冷却装置の要部を模式的に示す断面図である。図に示すように、この実施の形態５では、塵埃分離部６３を構成するロート状体６３２の下部に円筒首部６３４が形成され、塵埃集積容器６４はこの円筒首部６３４の下部に配設されている。そして、この塵埃集積容器６４と円筒首部６３４の形状、寸法は、図示を省略しているシロッコファンなどの送風装置から発生する特定周波数の騒音を共鳴により減衰するように設定されている。
【００３０】
具体的には、円筒首部６３４の直径ａと長さｂ、塵埃集積容器６４の内容積Ｖを、おおむね下記の式１で示す関係としたものである。
【００３１】
【数１】
2005173416.tif 000003
【００３２】
上記のように構成された実施の形態５によれば、シロッコファンなどの送風装置６５から発生する特定周波数の騒音を効果的に減衰することができ、低騒音化された通風冷却装置ないしは投射型表示装置が得られるという効果がある。なお上記実施の形態４に示す吸音材を塵埃分離部６３の内面に貼り付ける方法を併用することにより、更に低騒音化できることは言うまでもない。
【００３３】
実施の形態６．
図１６は、この発明を実施するための実施の形態６による投写型表示装置の内部構成を透視して示す斜視図である。図に示すように、この実施の形態６は背面投写型の表示装置とした例を示すものであり、実施の形態１および実施の形態２で説明した（前面）投写型表示装置の筐体５０を大型化し、該筐体５０の内部上方に反射ミラー３０、筐体５０の前面部にスクリーン３１を追加した構成となっており、投写レンズ２９から出射された光線３００は、反射ミラー３０により折り曲げられ、スクリーン３１上に画像が形成されるように構成されている。また筐体５０の下部側面部にランプ冷却ファン５６からの熱風を排出する排気口５６１が設けられている。そして、通風冷却装置６０としては、図１１〜図１３に示す実施の形態３と同様の空気ろ過媒体６６を備えたものが用いられている。その他の構成は上記実施の形態３と同様であるので説明を省略する。
【００３４】
上記のように構成された実施の形態６の基本的な動作は、投写レンズ２９から出射された光線３００が、反射ミラー３０により折り曲げられ、スクリーン３１上に画像として形成される他は、上記実施の形態３と同様であるので説明を省略する。
【００３５】
上記のように実施の形態６によれば、遠心分離式の通風冷却装置６０に加え、空気ろ過媒体６６を塵埃分離部６３の下流側に設置したので、塵埃分離部６３のみでは分離、集積できなかった非常に微細な塵埃を効率よく捕捉することができ、使用中に画像を形成する光空間変調素子の表面にゴミが付着せず、常に良好な画像が投写できる。また本実施の形態６に用いる空気ろ過媒体６６は、あらかじめ遠心分離式の塵埃分離部６３によりほとんどの塵埃が除去されているため、媒体の目詰まりがほとんど発生せず、装置内部の温度を常に良好な状態に保つことができる。
【００３６】
なお、以上説明した実施の形態１乃至実施の形態６においては、送風装置６５としてシロッコファンを用いたが、特にこれに限定されるものではなく、例えば軸流ファンなどであっても同様の効果を奏する。また、被冷却体が偏光板および光空間変調素子である場合について説明したがこれに限定されるものではなく、ゴミなどの塵埃の付着を特に嫌う他の光学素子あるいは光学機器などであっても同様の効果が期待できる。さらに、投射型表示装置を構成する光学系、および用いる光学素子は上記実施の形態に例示したものに限定されるものでないことは当然である。
【図面の簡単な説明】
【００３７】
【図１】実施の形態１による通風冷却装置および投写型表示装置の意匠天板を持ち上げて内部が見えるようにした状態を示す斜視図である。
【図２】図１に示す意匠下部筐体に収容された光学系の詳細を示す構成図である。
【図３】図２に示すランプから光空間変調素子に至る光学系の光路を直線状に展開して示す構成図である。
【図４】図２および図３に示す偏光変換素子近傍の構造を拡大して示す要部構成図である。
【図５】図１に示す通風冷却装置の外観を説明する斜視図である。
【図６】図５に示す通風冷却装置を更に具体的に説明する内部透視斜視図である。
【図７】図１に示す通風冷却装置により偏光板と光空間変調素子部分の光学系を強制冷却する動作を説明する垂直断面図である
【図８】図１に示す通風冷却装置の塵埃集積容器の構造を示す斜視図である。
【図９】実施の形態２による通風冷却装置を示す斜視図である。
【図１０】図９に示す通風冷却装置を用いた投写型表示装置の内部配置を示す斜視図である。
【図１１】実施の形態３による通風冷却装置を示す斜視図である。
【図１２】図１１に示す通風冷却装置の動作を説明する断面構成図である。
【図１３】図１１に示す通風冷却装置を用いた投写型表示装置の内部配置を示す斜視図である。
【図１４】実施の形態４による投写型表示装置に用いる通風冷却装置の要部を模式的に示す断面図である。
【図１５】実施の形態５による投写型表示装置に用いる通風冷却装置の要部を模式的に示す断面図である。
【図１６】実施の形態６による投写型表示装置の内部構成を透視して示す斜視図である。
【符号の説明】
【００３８】
１  ランプ、  ２  凹面反射鏡、  ３  前面ガラス、  ４  第１のアレイレンズ、  ５  第２のアレイレンズ、  ６  偏光変換素子、  ７〜１２  リレーレンズ、  １３〜１６  反射鏡、  １７〜１８  誘電体多層膜ミラー、  １９〜２４  偏光板（被冷却体）、  ２５〜２７  光空間変調素子（被冷却体）、  ２８  色合成プリズム、  ２９  投写レンズ、  ３０  反射ミラー、  ３１  スクリーン、  ５０  筐体、  ５０ａ  意匠天板、  ５０ｂ  意匠下部筐体、  ５２  電源回路、  ５３  電源回路用冷却ファン、  ５４  信号処理回路、  ５５  ランプ収納容器、  ５６  ランプ冷却ファン、５７  照明光学系収納容器、  ６０  通風冷却装置、  ６１  吸気口、  ６２  通風路（ダクト）、  ６２１  流入ダクト、  ６３  塵埃分離部、  ６３１  円筒状体、  ６３１ａ  流入部、  ６３２  ロート状体、  ６３３  排出筒、  ６３４  円筒首部、  ６４  塵埃集積容器、６５  送風装置（シロッコファン）、  ６６  空気ろ過媒体、  ６４１、６６１  取り出し口、  ８０  塵埃、  ９０  吸音材。
【図１】
2005173416.tif 000005
【図２】
2005173416.tif 000006
【図３】
2005173416.tif 000007
【図４】
2005173416.tif 000008
【図５】
2005173416.tif 000009
【図６】
2005173416.tif 000010
【図７】
2005173416.tif 000011
【図８】
2005173416.tif 000012
【図９】
2005173416.tif 000013
【図１０】
2005173416.tif 000014
【図１１】
2005173416.tif 000015
【図１２】
2005173416.tif 000016
【図１３】
2005173416.tif 000017
【図１４】
2005173416.tif 000018
【図１５】
2005173416.tif 000019
【図１６】
2005173416.tif 000020